(57)【要約】【課題】アイコン表示などの拡大のための機能を画面上にレイアウト（もしくは表示）し、それらを操作しなくても、単に筺体を握っているだけで、簡単に画像を拡大できる携帯情報表示装置を提供する。【解決手段】側面センサー制御部によって判断された右手または左手の情報と、ユーザが小指と薬指によってタッチパネル上を指示した位置に基づいて、拡大領域を設定する（ステップＳ６）。この拡大領域を特定する小指と薬指が、一定時間、タッチパネルに接触し続けると（ステップＳ８）、特定のタッチ操作が行われたと認識して、拡大領域の画像を拡大して表示する（ステップＳ９）。【選択図】図３
2014032511.tif 000002
【特許請求の範囲】
【請求項１】
筺体と、
上記筺体の表面に配置されるタッチパネルと、
上記筺体の側面に配置されると共に手を検出する側面センサーと、
上記側面センサーが上記筺体を握る手を検出し、かつ、この手の複数の指が上記タッチパネルに接触しているとき、上記複数の指の上記タッチパネル上の位置を検出する位置検出手段と、
上記位置検出手段によって検出された上記複数の指の位置に基づいて、上記タッチパネル上に、上記複数の指の位置によって特定される拡大領域を設定する拡大領域設定手段と、
上記拡大領域に対して特定のタッチ操作がされたとき、上記拡大領域にある画像を拡大して表示する拡大表示手段と
を備えることを特徴とする携帯情報表示装置。
【請求項２】
請求項１に記載の携帯情報表示装置において、
上記筺体を手で握っているときに、上記側面センサーからの信号に基づいて、上記筺体を握っている手が左か右の何れであるかを判断する左右判断手段を備え、
上記位置検出手段は、
上記左右判断手段によって上記筺体を右手で握っていると判断され、かつ、上記筺体の左側面にある複数の指が上記タッチパネルに接触しているとき、または、上記左右判断手段によって上記筺体を左手で握っていると判断され、かつ、上記筺体の右側面にある複数の指が上記タッチパネルに接触しているとき、上記複数の指の上記タッチパネル上の位置を検出することを特徴とする携帯情報表示装置。
【請求項３】
請求項１または２に記載の携帯情報表示装置において、
上記拡大表示手段によって上記拡大領域にある画像が拡大して表示されているときに、上記拡大領域を特定する上記複数の指を上記タッチパネルから離すと、上記拡大領域の画像の拡大表示を解除して元の大きさに戻す拡大解除手段を備えることを特徴とする携帯情報表示装置。
【請求項４】
請求項１から３の何れか一つに記載の携帯情報表示装置において、
上記拡大表示手段は、
上記拡大領域を特定する上記複数の指が、一定時間、上記タッチパネルに接触し続けると、上記特定のタッチ操作が行われたと認識して、上記拡大領域の画像を拡大して表示することを特徴とする携帯情報表示装置。
【請求項５】
請求項１から４の何れか一つに記載の携帯情報表示装置において、
上記拡大表示手段は、
上記拡大領域を特定する上記複数の指が、上記タッチパネルに接触しているときに、この接触している複数の指以外の他の指が、上記拡大領域に接触すると、上記特定のタッチ操作が行われたと認識して、上記複数の指および上記他の指が一定時間上記タッチパネルに接触し続けなくても即時に、上記拡大領域の画像を拡大して表示することを特徴とする携帯情報表示装置。
【請求項６】
請求項１から５の何れか一つに記載の携帯情報表示装置において、
上記拡大領域設定手段は、
上記位置検出手段によって３つの指が検出されたとき、この３つの指のうちの最も離れた２つの指の位置に基づいて、この２つの指の位置の間にある領域を、上記拡大領域として設定することを特徴とする携帯情報表示装置。
【請求項７】
請求項１から６の何れか一つに記載の携帯情報表示装置において、
上記拡大領域設定手段は、
上記位置検出手段によって検出される上記複数の指の位置が変わったとき、この変わった指の位置に基づいて、上記拡大領域を変更することを特徴とする携帯情報表示装置。
【請求項８】
請求項１から７の何れか一つに記載の携帯情報表示装置において、
上記拡大領域設定手段は、
上記拡大領域をインジケータにより表示することを特徴とする携帯情報表示装置。
【請求項９】
表面にタッチパネルが配置された筺体を手で握っているときに、上記筺体の側面に配置される側面センサーが上記筺体を握る手を検出し、かつ、この手の複数の指が上記タッチパネルに接触しているとき、上記複数の指の上記タッチパネル上の位置を検出する位置検出工程と、
上記位置検出工程によって検出された上記複数の指の位置に基づいて、上記タッチパネル上に、上記複数の指の位置によって特定される拡大領域を設定する拡大領域設定工程と、
上記拡大領域に対して特定のタッチ操作がされたとき、上記拡大領域にある画像を拡大して表示する拡大表示工程と
を備えることを特徴とする拡大表示方法。
【請求項１０】
請求項９に記載の拡大表示方法において、
上記拡大領域設定工程は、
上記位置検出工程によって３つの指が検出されたとき、この３つの指のうちの最も離れた２つの指の位置に基づいて、この２つの指の位置の間にある領域を、上記拡大領域として設定することを特徴とする拡大表示方法。
【発明の詳細な説明】
【技術分野】
【０００１】
この発明は、例えば、電子辞書、携帯電話、携帯情報端末（PDA: Personal Digital Assistant）等の携帯情報表示装置および拡大表示方法に関する。
【背景技術】
【０００２】
従来、携帯情報表示装置としては、特開２０１０−２３１６５３号公報（特許文献１）に記載されたものがある。この携帯情報表示装置では、筐体の表面に、複数のウインドウを表示するタッチパネルを設け、この筐体の側面に、ユーザの接触を検知する側面センサーを設けている。そして、側面センサーがユーザの接触を検知した場合、タッチパネルに表示されている複数のウインドウのうち、ユーザの接触が検知された側面センサーの位置に対応付けられているウインドウを、ユーザの接触に応じて制御できるようにしている。
【０００３】
こうすることにより、例えば、側面センサーへの接触位置に最も近いウインドウをユーザが直ちに操作できて、ウインドウをより直感的に操作することができるようになっている。
【０００４】
そして、そのウインドウを拡大させる場合、虫眼鏡アイコンを画面に表示させ、その虫眼鏡アイコンをクリックして、そのウインドウを大きくしている。
【先行技術文献】
【特許文献】
【０００５】
【特許文献１】特開２０１０−２３１６５３号公報
【発明の概要】
【発明が解決しようとする課題】
【０００６】
しかしながら、上記従来の携帯情報表示装置では、画像を拡大するために、虫眼鏡アイコンを操作しなければならないので、このアイコンを画面に表示させるために、別途操作が必要であって、操作が煩わしいという問題があった。
【０００７】
そこで、この発明の課題は、アイコン表示などの特別な操作をしなくても、単に筺体を握っているだけで、簡単に画像を拡大できる携帯情報表示装置および拡大表示方法を提供することにある。
【課題を解決するための手段】
【０００８】
上記課題を解決するため、この発明の携帯情報表示装置は、
筺体と、
上記筺体の表面に配置されるタッチパネルと、
上記筺体の側面に配置されると共に手を検出する側面センサーと、
上記側面センサーが上記筺体を握る手を検出し、かつ、この手の複数の指が上記タッチパネルに接触しているとき、上記複数の指の上記タッチパネル上の位置を検出する位置検出手段と、
上記位置検出手段によって検出された上記複数の指の位置に基づいて、上記タッチパネル上に、上記複数の指の位置によって特定される拡大領域を設定する拡大領域設定手段と、
上記拡大領域に対して特定のタッチ操作がされたとき、上記拡大領域にある画像を拡大して表示する拡大表示手段と
を備えることを特徴としている。
【０００９】
この発明の携帯情報表示装置によれば、ユーザが、上記筺体を手で握って、この手の複数の指にて上記タッチパネルをタッチすると、上記側面センサーは、筺体を握る手を検出し、上記位置検出手段は、上記複数の指の上記タッチパネル上の位置を検出する。そして、上記拡大領域設定手段は、位置検出手段によって検出された複数の指の位置に基づいて、タッチパネル上に、複数の指の位置によって特定される拡大領域を設定する。そして、上記拡大表示手段は、上記拡大領域に対して特定のタッチ操作がされたとき、この拡大領域にある画像を拡大して表示する。
【００１０】
これにより、携帯情報表示装置を片手で握りながらこの手の例えば小指と薬指で、画面上の拡大したい拡大領域をタッチにより設定してから、この拡大領域に特定のタッチ操作をすることで、その拡大領域の画像を拡大できる。このように、アイコン表示などの拡大のための機能を画面上にレイアウト（もしくは表示）し、それらを操作しなくても、単に筺体を握っているだけで、その握っている手で簡単に画像を拡大でき、操作性が向上する。
【００１１】
特に、昨今のスマートフォン（商品名）において、実装技術の進歩、デザイン性の重視で、狭額縁のスマートフォンが増えてきている。これにより、端末装置表面に対するタッチパネルの占める割合が大きくなってきていて、端末装置を握るとタッチパネルに指が届き易くなり、端末装置を握りながら指での操作が容易となる。これは、スマートフォンのサイズが小さくなればなるほど、顕著になる。
【００１２】
また、一実施形態の携帯情報表示装置では、
上記筺体を手で握っているときに、上記側面センサーからの信号に基づいて、上記筺体を握っている手が左か右の何れであるかを判断する左右判断手段を備え、
上記位置検出手段は、
上記左右判断手段によって上記筺体を右手で握っていると判断され、かつ、上記筺体の左側面にある複数の指が上記タッチパネルに接触しているとき、または、上記左右判断手段によって上記筺体を左手で握っていると判断され、かつ、上記筺体の右側面にある複数の指が上記タッチパネルに接触しているとき、上記複数の指の上記タッチパネル上の位置を検出する。
【００１３】
この実施形態の携帯情報表示装置によれば、上記筺体を手で握ると、上記左右判断手段は、側面センサーからの信号に基づいて、筺体を握っている手が左か右の何れであるかを判断する。そして、上記位置検出手段は、左右判断手段によって筺体を右手で握っていると判断され、かつ、筺体の左側面にある複数の指がタッチパネルに接触しているとき、または、左右判断手段によって筺体を左手で握っていると判断され、かつ、筺体の右側面にある複数の指がタッチパネルに接触しているとき、複数の指のタッチパネル上の位置を検出する。
【００１４】
これにより、携帯情報表示装置を片手で操作しているとき、この手の例えば親指によるタッチを、拡大領域の設定のタッチと誤認することがなく、この手の例えば小指と薬指によるタッチを、拡大領域の設定のタッチと正しく認識することができる。したがって、誤動作がなくなる。
【００１５】
また、一実施形態の携帯情報表示装置では、
上記拡大表示手段によって上記拡大領域にある画像が拡大して表示されているときに、上記拡大領域を特定する上記複数の指を上記タッチパネルから離すと、上記拡大領域の画像の拡大表示を解除して元の大きさに戻す拡大解除手段を備える。
【００１６】
この実施形態の携帯情報表示装置によれば、上記拡大解除手段は、拡大表示手段によって拡大領域の画像が拡大して表示されているときに、拡大領域を特定する複数の指をタッチパネルから離すと、拡大領域の画像の拡大表示を解除して元の大きさに戻す。
【００１７】
これにより、画像を拡大して確認した後、拡大領域を特定する例えば小指と薬指をタッチパネルから離すことで、この画面を元の大きさに簡単に戻すことができる。このように、片手操作で、簡単に画面の大きさを戻すことができる。
【００１８】
また、一実施形態の携帯情報表示装置では、
上記拡大表示手段は、
上記拡大領域を特定する上記複数の指が、一定時間、上記タッチパネルに接触し続けると、上記特定のタッチ操作が行われたと認識して、上記拡大領域の画像を拡大して表示する。
【００１９】
この実施形態の携帯情報表示装置によれば、上記拡大表示手段は、拡大領域を特定する複数の指が、一定時間、タッチパネルに接触し続けると、拡大領域の画像を拡大して表示する。
【００２０】
これにより、携帯情報表示装置を片手で操作しているとき、この手の例えば小指と薬指で、画面上の拡大したい拡大領域をタッチにより設定してから、そのまま、この小指と薬指によって押し続けることで、その拡大領域の画像を拡大できる。このように、片手操作で、簡単に画像を拡大できる。
【００２１】
また、一実施形態の携帯情報表示装置では、
上記拡大表示手段は、
上記拡大領域を特定する上記複数の指が、上記タッチパネルに接触しているときに、この接触している複数の指以外の他の指が、上記拡大領域に接触すると、上記特定のタッチ操作が行われたと認識して、上記複数の指および上記他の指が一定時間上記タッチパネルに接触し続けなくても即時に、上記拡大領域の画像を拡大して表示する。
【００２２】
この実施形態の携帯情報表示装置によれば、上記拡大表示手段は、拡大領域を特定する複数の指が、タッチパネルに接触しているときに、この接触している複数の指以外の他の指が、拡大領域に接触すると、特定のタッチ操作が行われたと認識して、複数の指および他の指が一定時間タッチパネルに接触し続けなくても即時に、拡大領域の画像を拡大して表示する。
【００２３】
これにより、携帯情報表示装置を片手で操作しているとき、例えば、この手の小指と薬指で、画面上の拡大したい拡大領域をタッチにより設定してから、その小指と薬指以外の指で、その拡大領域をタッチすることで、その拡大領域の画像を拡大できる。このように、その拡大領域の画像を簡単に拡大できる。
【００２４】
また、一実施形態の携帯情報表示装置では、
上記拡大領域設定手段は、
上記位置検出手段によって３つの指が検出されたとき、この３つの指のうちの最も離れた２つの指の位置に基づいて、この２つの指の位置の間にある領域を、上記拡大領域として設定する。
【００２５】
この実施形態の携帯情報表示装置によれば、上記拡大領域設定手段は、位置検出手段によって３つの指が検出されたとき、この３つの指のうちの最も離れた２つの指の位置に基づいて、この２つの指の位置の間にある領域を、拡大領域として設定する。
【００２６】
これにより、携帯情報表示装置を片手で操作しているとき、例えば、この手の小指と中指で、画面上の拡大したい拡大領域をタッチする際、薬指が不用意にタッチパネルに接触しても、最も離れている小指と中指との間の領域を、拡大領域に設定できる。このように、携帯情報表示装置をしっかりと握ったまま、拡大領域を無理なく設定できる。
【００２７】
また、一実施形態の携帯情報表示装置では、
上記拡大領域設定手段は、
上記位置検出手段によって検出される上記複数の指の位置が変わったとき、この変わった指の位置に基づいて、上記拡大領域を変更する。
【００２８】
この実施形態の携帯情報表示装置によれば、上記拡大領域設定手段は、位置検出手段によって検出される複数の指の位置が変わったとき、この変わった指の位置に基づいて、拡大領域を変更する。これにより、ユーザは、拡大領域を簡単に変更できる。
【００２９】
また、一実施形態の携帯情報表示装置では、
上記拡大領域設定手段は、
上記拡大領域をインジケータにより表示する。
【００３０】
この実施形態の携帯情報表示装置によれば、上記拡大領域設定手段は、拡大領域をインジケータにより表示する。これにより、拡大領域を予め視認でき、拡大領域を間違えることなく設定できる。
【００３１】
また、一実施形態の拡大表示方法では、
表面にタッチパネルが配置された筺体を手で握っているときに、上記筺体の側面に配置される側面センサーが上記筺体を握る手を検出し、かつ、この手の複数の指が上記タッチパネルに接触しているとき、上記複数の指の上記タッチパネル上の位置を検出する位置検出工程と、
上記位置検出工程によって検出された上記複数の指の位置に基づいて、上記タッチパネル上に、上記複数の指の位置によって特定される拡大領域を設定する拡大領域設定工程と、
上記拡大領域に対して特定のタッチ操作がされたとき、上記拡大領域にある画像を拡大して表示する拡大表示工程と
を備える。
【００３２】
この実施形態の拡大表示方法によれば、
ユーザが、上記筺体を手で握って、この手の複数の指にて上記タッチパネルをタッチすると、上記側面センサーは、筺体を握る手を検出し、上記位置検出工程は、上記複数の指の上記タッチパネル上の位置を検出する。そして、上記拡大領域設定工程は、位置検出工程によって検出された複数の指の位置に基づいて、タッチパネル上に、複数の指の位置によって特定される拡大領域を設定する。そして、上記拡大表示工程は、上記拡大領域に対して特定のタッチ操作がされたとき、この拡大領域にある画像を拡大して表示する。
【００３３】
これにより、携帯情報表示装置を片手で握りながらこの手の例えば小指と薬指で、画面上の拡大したい拡大領域をタッチにより設定してから、この拡大領域に特定のタッチ操作をすることで、その拡大領域の画像を拡大できる。このように、アイコン表示などの拡大のための機能を画面上にレイアウト（もしくは表示）し、それらを操作しなくても、単に筺体を握っているだけで、その握っている手で簡単に画像を拡大でき、操作性が向上する。
【００３４】
また、一実施形態の拡大表示方法では、
上記拡大領域設定工程は、
上記位置検出工程によって３つの指が検出されたとき、この３つの指のうちの最も離れた２つの指の位置に基づいて、この２つの指の位置の間にある領域を、上記拡大領域として設定する。
【００３５】
この実施形態の拡大表示方法によれば、上記拡大領域設定工程は、位置検出工程によって３つの指が検出されたとき、この３つの指のうちの最も離れた２つの指の位置に基づいて、この２つの指の位置の間にある領域を、拡大領域として設定する。
【００３６】
これにより、携帯情報表示装置を片手で操作しているとき、例えば、この手の小指と中指で、画面上の拡大したい拡大領域をタッチする際、薬指が不用意にタッチパネルに接触しても、最も離れている小指と中指との間の領域を、拡大領域に設定できる。このように、携帯情報表示装置をしっかりと握ったまま、拡大領域を無理なく設定できる。
【発明の効果】
【００３７】
この発明の携帯情報表示装置によれば、位置検出手段、拡大領域設定手段および拡大表示手段を備えるので、アイコン表示などの拡大のための機能を画面上にレイアウト（もしくは表示）し、それらを操作しなくても、単に筺体を握っているだけで、簡単に画像を拡大できる。
【００３８】
この発明の拡大表示方法によれば、位置検出工程、拡大領域設定工程および拡大表示工程を備えるので、アイコン表示などの拡大のための機能を画面上にレイアウト（もしくは表示）し、それらを操作しなくても、単に筺体を握っているだけで、簡単に画像を拡大できる。
【図面の簡単な説明】
【００３９】
【図１】本発明の第１実施形態の携帯情報表示装置を示す外観図である。
【図２】上記携帯情報表示装置を示すブロック図である。
【図３】上記携帯情報表示装置の動作を示すフローチャートである。
【図４Ａ】右手で握ったときの右、左側面センサーの検知状態を説明する説明図である。
【図４Ｂ】左手で握ったときの右、左側面センサーの検知状態を説明する説明図である。
【図５Ａ】拡大領域の設定を説明する説明図である。
【図５Ｂ】拡大領域の画像の拡大表示を説明する説明図である。
【図６】本発明の第２実施形態の携帯情報表示装置の動作を示すフローチャートである。
【図７Ａ】本発明の第３実施形態の携帯情報表示装置の動作を示すフローチャートである。
【図７Ｂ】拡大領域の設定を説明する説明図である。
【図８】本発明の第４実施形態の携帯情報表示装置の動作を示すフローチャートである。
【図９Ａ】本発明の第５実施形態の携帯情報表示装置を示すと共に、右手で握ったときの右、左側面センサーの検知状態を説明する説明図である。
【図９Ｂ】左手で握ったときの右、左側面センサーの検知状態を説明する説明図である。
【図１０Ａ】本発明の第６実施形態の携帯情報表示装置を示すと共に、右手で握ったときの右、左側面センサーの検知状態を説明する説明図である。
【図１０Ｂ】左手で握ったときの右、左側面センサーの検知状態を説明する説明図である。
【発明を実施するための形態】
【００４０】
以下、この発明を図示の実施の形態により詳細に説明する。
【００４１】
（第１の実施形態）
図１は、この発明の第１実施形態の携帯情報表示装置を示す簡略図である。図１に示すように、携帯情報表示装置は、筺体１と、この筺体１の表面に配置されるタッチパネル２とを有する。この携帯情報表示装置は、スマートフォン（商品名）（以下、端末装置という）を示す。
【００４２】
上記タッチパネル２は、表示機能と入力機能とを有し、タッチパネル２に表示されるアイコン等のタッチキーを、指でタッチすることにより、操作可能となっている。
【００４３】
上記筺体１の右側面１ａには、帯状の右側面センサー３が配置され、上記筺体１の左側面１ｂには、帯状の左側面センサー４が配置される。右、左側面センサー３，４は、接触式または非接触式であり、手を検出する。例えば、静電容量センサー、圧力センサー、光学センサー等である。
【００４４】
上記タッチパネル２の下側には、通話用マイク５が配置され、タッチパネル２の上側には、通話用スピーカ６が配置されている。
【００４５】
上記携帯情報表示装置は、図２に示すように、ＬＣＤ表示部７と、カメラ８と、電源やボリューム等のサイドキー９と、ＣＰＵ（中央処理装置）１０と、記憶部１６と、通信制御部１７と、無線装置１８とを有する。
【００４６】
上記記憶部１６は、各種機能を実行するためのプログラムやデータ情報を記憶する。上記通信制御部１７は、無線装置１８を介して、電話局等と信号を送受する。
【００４７】
上記ＣＰＵ１０は、タッチパネル２、右、左側面センサー３，４、マイク５、カメラ８、サイドキー９、記憶部１６等から信号を受け、種々の演算処理を行って、スピーカ６、ＬＣＤ表示部７、記憶部１６、通信制御部１７等に信号を出力する。
【００４８】
上記ＣＰＵ１０は、画面拡大制御部１１とアプリ１５とを有する。この画面拡大制御部１１は、側面センサー制御部１２と、調整部１３と、タッチパネル制御部１４とを有する。
【００４９】
上記側面センサー制御部１２は、右、左側面センサー３，４からの信号に基づいて、左右どちらの手で筺体１を持っているか、ちゃんと握られているかを、判断する。側面センサー制御部１２は、左右判断手段の一例である。
【００５０】
上記タッチパネル制御部１４は、タッチパネル２からの情報を統制し、タッチパネル２上のどの位置が押されまたは離されたかを判定する。
【００５１】
上記調整部１３は、上記側面センサー制御部１２および上記タッチパネル制御部１４からの情報を統制して、右、左側面センサー３，４が握られ、かつ、小指や薬指などがタッチパネル２を触ったときに、この触った範囲の画像を拡大して表示する。
【００５２】
具体的に述べると、上記調整部１３は、上記側面センサー制御部１２によって筺体１を右手で握っていると判断され、かつ、上記タッチパネル制御部１４によって筺体１の左側面にある右手の複数の指（小指や薬指など）がタッチパネル２に接触していると判断されたとき、この複数の指のタッチパネル２上の位置を検出する。もしくは、調整部１３は、側面センサー制御部１２によって筺体１を左手で握っていると判断され、かつ、タッチパネル制御部１４によって筺体１の右側面にある左手の複数の指がタッチパネル２に接触していると判断されたとき、この複数の指のタッチパネル２上の位置を検出する。つまり、調整部１３は、位置検出手段の一例である。
【００５３】
また、上記調整部１３は、上述のようにして検出された上記複数の指の位置に基づいて、タッチパネル２上に、この複数の指の位置によって特定される拡大領域を設定する。つまり、調整部１３は、拡大領域設定手段の一例である。
【００５４】
また、上記調整部１３は、上述のようにして設定された上記拡大領域に対して特定のタッチ操作がされたとき、この拡大領域にある画像を拡大して表示する。つまり、調整部１３は、拡大表示手段の一例である。
【００５５】
また、上記調整部１３は、上述のようにして上記拡大領域の画像が拡大して表示されているときに、この拡大領域を特定する上記複数の指をタッチパネル２から離すと、この拡大領域の画像の拡大表示を解除して元の大きさに戻す。つまり、調整部１３は、拡大解除手段の一例である。
【００５６】
なお、上記調整部１３は、拡大の倍率、拡大ウインドウの大きさ、拡大表示の時間などの調整を行ったり、イラストを拡大ウインドウに綺麗に収めるなどの調整を行う。これらの調整は、別途設定と上記アプリ１５によって変わる。
【００５７】
上記アプリ１５は、例えば、ブラウザや、電話帳などの端末装置に搭載されている機能である。アプリ１５は、機能が切り替わった際に、今どの機能で動作しているかを、調整部１３に送る。
【００５８】
上記構成の端末装置は、図３に示すように、動作する。
【００５９】
上記端末装置を片手で握ると、左側面センサー４が手のタッチを認識し（ステップＳ１）、右側面センサー３が手のタッチを認識して（ステップＳ２）、側面センサー制御部１２は、端末装置を手で握っていると、判断する（ステップＳ３）。
【００６０】
そして、上記側面センサー制御部１２は、右、左側面センサー３，４からの信号を元に、握っている指の位置を特定して（ステップＳ４）、端末装置を握っている手が右手か左手の何れであるかを判断する（ステップＳ５）。
【００６１】
具体的に述べると、上記右、左側面センサー３，４は、図４Ａに示すように、上下方向に連続した帯状に、形成されている。図４Ａでは、端末装置を右手で握った状態を示しており、右、左側面センサー３，４は、位置Ｐ１〜Ｐ５にて、指を検知している。位置Ｐ１にて中指を検知し、位置Ｐ２にて薬指を検知し、位置Ｐ３にて小指を検知し、位置Ｐ４にて親指を検知し、位置Ｐ５にて親指の付け根（手の腹）を検知している。
【００６２】
そして、上記側面センサー制御部１２は、位置Ｐ１〜Ｐ３のいずれか２つの位置座標と位置Ｐ５の位置座標とで、右手であることを判断する。なお、位置Ｐ４の位置座標は、握る行為の判断等に、補助的に用いられる。
【００６３】
一方、図４Ｂでは、端末装置を左手で握った状態を示しており、上記側面センサー制御部１２は、位置Ｐ１〜Ｐ３のいずれか２つの位置座標と位置Ｐ５の位置座標とで、左手であることを判断する。
【００６４】
その後、上記調整部１３は、側面センサー制御部１２によって判断された右手または左手の情報と、ユーザが小指と薬指によってタッチパネル２上を指示した位置に基づいて、拡大領域を設定し（図３のステップＳ６）、この拡大領域をインジケータにより表示する（ステップＳ７）。
【００６５】
具体的に述べると、図５Ａに示すように、上記端末装置を左手で握った状態で、この左手の小指Ｆ１と薬指Ｆ２を折り返して、小さな文字が表示されている画面上の任意の位置に触れる。すると、調整部１３は、この指Ｆ１，Ｆ２の上下方向の位置を検出し、これらの位置の間にある領域を、拡大領域として設定する。このとき、調整部１３は、この拡大領域をインジケータ２０により表示する。インジケータ２０は、上下方向の細いバーとして、指Ｆ１，Ｆ２と反対側のタッチパネル２の左辺に沿って表示される。これにより、拡大領域を予め視認でき、拡大領域を間違えることなく設定できる。
【００６６】
その後、上記調整部１３は、上記拡大領域を特定する上記指Ｆ１，Ｆ２が、一定時間、タッチパネル２に接触し続けると（図３のステップＳ８）、上記特定のタッチ操作が行われたと認識して、上記拡大領域の画像を拡大して表示する（ステップＳ９）。そして、ユーザは、この拡大領域を操作できる（ステップＳ１０）。
【００６７】
具体的に述べると、図５Ｂに示すように、上記指Ｆ１，Ｆ２を一定時間タッチパネル２に接触させ続けることで、拡大ウインドウＷにて、上記拡大領域の画像を拡大して表示する。このとき、拡大ウインドウＷには、拡大した全ての文字は、入らない。このため、拡大ウインドウＷの画面において、矢印Ｓに示す上下左右方向に、スクロール操作が可能となり、拡大した全ての文字を確認できる。なお、拡大ウインドウＷそのものを、上下左右方向にスクロール操作できるようにしてもよい。
【００６８】
これにより、上記端末装置を片手で操作しているとき、端末装置を支えている小指Ｆ１と薬指Ｆ２で、画面上の拡大したい拡大領域をタッチにより設定してから、この拡大領域に特定のタッチ操作をすることで、その拡大領域の画像を拡大できる。このように、アイコン表示などの拡大のための機能を画面上にレイアウト（もしくは表示）し、それらを操作しなくても、単に筺体を握っているだけで、その握っている手で簡単に画像を拡大でき、操作性が向上する。
【００６９】
特に、昨今のスマートフォンにおいて、実装技術の進歩、デザイン性の重視で、狭額縁のスマートフォンが増えてきている。これにより、端末装置表面に対するタッチパネルの占める割合が大きくなってきていて、端末装置を握るとタッチパネルに指が届き易くなり、端末装置を握りながら指での操作が容易となる。これは、スマートフォンのサイズが小さくなればなるほど、顕著になる。
【００７０】
また、端末装置を握っている手の左右に基づいて拡大領域のタッチを検出しているので、端末装置を握っている手の親指によるタッチを、拡大領域の設定のタッチと誤認することがなく、この手の小指Ｆ１と薬指Ｆ２によるタッチを、拡大領域の設定のタッチと認識することができる。したがって、誤動作がなくなる。
【００７１】
また、上記指Ｆ１，Ｆ２で拡大領域をタッチにより設定してから、そのまま上記指Ｆ１，Ｆ２によって押し続けることで、特定のタッチ操作とできるので、片手操作で、簡単に画像を拡大できる。
【００７２】
その後、上記指Ｆ１，Ｆ２をタッチパネル２から離すと（図３のステップＳ１１）、上記拡大領域の画像の拡大表示を解除して（ステップＳ１２）、この拡大領域の画像を図５Ａに示すように元の大きさに戻す。
【００７３】
これにより、画像を拡大して確認した後、拡大領域を特定する小指Ｋ１と薬指Ｋ２をタッチパネル２から離すことで、この画面を元の大きさに簡単に戻すことができる。このように、片手操作で、簡単に画面の大きさを戻すことができる。
【００７４】
なお、図５Ｂに示すように、拡大ウインドウＷに、拡大領域固定用のアイコン２１を設けてもよく、このアイコン２１を押すことによって、上記指Ｆ１，Ｆ２をタッチパネル２から離しても、画像の拡大状態を保持する。再度、このアイコン２１を触ることで、拡大状態を解除する。
【００７５】
その後、上記端末装置を離すと、上記側面センサー制御部１２は、右、左側面センサー３，４からの信号に基づいて、端末装置を離していると判断して（図３のステップＳ１３）、動作を終了する。
【００７６】
（第２の実施形態）
図６は、この発明の第２実施形態の携帯情報表示装置の動作を示すフローチャートである。この第２実施形態は、上記第１実施形態（図３）とは、拡大表示のための特定のタッチ操作のみが相違する。
【００７７】
つまり、この第２実施形態では、上記第１実施形態の図３のステップＳ１〜Ｓ７，Ｓ９〜Ｓ１３と同じであり、図３のステップＳ８と異なる。この相違するステップのみを以下に説明する。
【００７８】
図６のステップＳ８Ａでは、拡大領域を特定する複数の指（例えば、図５Ａの左手の小指Ｆ１と薬指Ｆ２）が、タッチパネル２に接触しているときに、調整部１３（図２参照）は、この接触している複数の指以外の他の指（例えば、左手の親指や右手の人差し指）が、上記拡大領域に接触したか否かを判断する。
【００７９】
そして、上記調整部１３は、他の指が拡大領域に接触したと判断すると、特定のタッチ操作が行われたと認識して、上記複数の指および上記他の指が一定時間タッチパネル２に接触し続けなくても即時に、拡大領域の画像を拡大して表示する（図３のステップＳ９）。これにより、他の指で拡大領域に触れるだけで、その拡大領域の画像を簡単に拡大できる。
【００８０】
（第３の実施形態）
図７Ａは、この発明の第３実施形態の携帯情報表示装置の動作を示すフローチャートである。この第３実施形態は、上記第１実施形態（図３）とは、拡大領域の設定方法のみが相違する。
【００８１】
つまり、この第３実施形態では、上記第１実施形態の図３のステップＳ１〜Ｓ５，Ｓ７〜Ｓ１３と同じであり、図３のステップＳ６と異なる。この相違するステップのみを以下に説明する。
【００８２】
図７ＡのステップＳ６Ａでは、調整部１３（図２参照）が、図７Ｂに示すようにタッチパネル２に触れる小指Ｆ１、薬指Ｆ２、中指Ｆ３の３つの指を検出すると（ステップＳ６１Ａ）、調整部１３は、この３つの指のうちの最も離れた２つの小指Ｆ１と中指Ｆ３の位置の座標を特定する（ステップＳ６２Ａ）。そして、調整部１３は、この位置座標に基づいて、この２つの小指Ｆ１と中指Ｆ３の位置の間にある領域を、拡大領域として設定する（ステップＳ６３Ａ）。
【００８３】
これにより、携帯端末を片手で操作しているとき、携帯端末を支えている小指Ｆ１と中指Ｆ３で、画面上の拡大したい拡大領域をタッチする際、薬指Ｆ２が不用意にタッチパネル２に接触しても、最も離れている小指Ｆ１と中指Ｆ３との間の領域を、拡大領域に設定できる。このように、携帯端末をしっかりと握ったまま、拡大領域を無理なく設定できる。
【００８４】
（第４の実施形態）
図８は、この発明の第４実施形態の携帯情報表示装置の動作を示すフローチャートである。この第４実施形態は、上記第１実施形態（図３）とは、拡大領域の変更のみが相違する。
【００８５】
つまり、この第４実施形態では、上記第１実施形態の図３のステップＳ１〜Ｓ７，Ｓ８〜Ｓ１３と同じであり、図３のステップＳ７とＳ８との間に新たなステップＳ２０が追加された点が、異なる。この追加されたステップＳ２０のみを以下に説明する。
【００８６】
図８のステップＳ２０では、調整部１３（図２参照）は、タッチパネル２に触れる２つの指（例えば、図５Ａの左手の小指Ｆ１と薬指Ｆ２）の位置が変わったとき、この変わった指の位置に基づいて、拡大領域を変更する（図３のステップＳ６）。
【００８７】
これにより、ユーザが、インジケータ２０（図５Ａ参照）の表示（図３のステップＳ７）により、拡大される領域が所望の位置でないと認識した場合、ユーザは、指の位置を所望の位置に変更するだけで、拡大領域を簡単に変更できる。
【００８８】
（第５の実施形態）
図９Ａと図９Ｂは、この発明の第５実施形態の携帯情報表示装置を示す表面図である。この第５の実施形態は、上記第１の実施形態とは、側面センサーの構成のみが相違する。この相違する構成のみを以下に説明する。
【００８９】
図９Ａに示すように、右、左側面センサー３Ａ，４Ａは、それぞれ、上下方向に分離した第１センサー部３１，４１、第２センサー部３２，４２および第３センサー部３３，４３を有する。
【００９０】
図９Ａでは、端末装置を右手で握った状態を示しており、右、左側面センサー３Ａ，４Ａは、位置Ｐ１〜Ｐ５にて、指を検知している。そして、図２に示す側面センサー制御部１２は、位置Ｐ１〜Ｐ３のいずれか２つの位置座標と位置Ｐ５の位置座標とで、右手であることを判断する。なお、位置Ｐ４の位置座標は、握る行為の判断等に、補助的に用いられる。
【００９１】
つまり、上記左の第１〜第３センサー部４１〜４３のいずれか２つと、上記右の第２、第３センサー部３２，３３によって、右手であることを判断している。右の第２、第３センサー部３２，３３によって、位置Ｐ５に示す右手の腹を判断している。
【００９２】
上記右、左の第１センサー部３１，４１は、他のセンサー部と比べて長いか、または、他のセンサー部と距離を置いて配置される。
【００９３】
一方、図９Ｂでは、端末装置を左手で握った状態を示しており、上記右の第１〜第３センサー部３１〜３３のいずれか２つと、上記左の第２、第３センサー部４２，４３によって、左手であることを判断している。左の第２、第３センサー部４２，４３によって、位置Ｐ５に示す左手の腹を判断している。
【００９４】
（第６の実施形態）
図１０Ａと図１０Ｂは、この発明の第６実施形態の携帯情報表示装置を示す表面図である。この第６の実施形態は、上記第１の実施形態とは、側面センサーの構成のみが相違する。この相違する構成のみを以下に説明する。
【００９５】
図１０Ａに示すように、右、左側面センサー３Ｂ，４Ｂは、それぞれ、上下方向に分離した第１センサー部３１，４１、第２センサー部３２，４２、第３センサー部３３，４３および第４センサー部３４，４４を有する。
【００９６】
図１０Ａでは、端末装置を右手で握った状態を示しており、右、左側面センサー３Ｂ，４Ｂは、位置Ｐ１〜Ｐ５にて、指を検知している。そして、図２に示す側面センサー制御部１２は、位置Ｐ１〜Ｐ３のいずれか２つの位置座標と位置Ｐ５の位置座標とで、右手であることを判断する。なお、位置Ｐ４の位置座標は、握る行為の判断等に、補助的に用いられる。
【００９７】
つまり、上記左の第２〜第４センサー部４２〜４４のいずれか２つと、上記右の第３、第４センサー部３３，３４によって、右手であることを判断している。右の第３、第４センサー部３３，３４によって、位置Ｐ５に示す右手の腹を判断している。
【００９８】
一方、図１０Ｂでは、端末装置を左手で握った状態を示しており、上記右の第２〜第４センサー部３２〜３４のいずれか２つと、上記左の第３、第４センサー部４３，４４によって、左手であることを判断している。左の第３、第４センサー部４３，４４によって、位置Ｐ５に示す左手の腹を判断している。
【００９９】
なお、この発明は上述の実施形態に限定されない。例えば、上記第１から上記第６の実施形態のそれぞれの特徴点を様々に組み合わせてもよい。
【０１００】
また、上記実施形態では、左右判断手段を設けたが、これを省略してもよい。つまり、筺体を握る手の左右を判断せず、側面センサーが筺体を握る手を検出し、かつ、この手の複数の指がタッチパネルに接触しているときに、位置検出手段により、複数の指のタッチパネル上の位置を検出するようにすればよい。
【０１０１】
また、上記拡大領域の画像を拡大表示するための上記特定のタッチ操作としては、上記実施形態の長押しや他の指でのタッチ以外のタッチ操作であってもよい。
【０１０２】
また、上記右、左側面センサーのうち、一方の側面センサーのみを設けてもよく、この場合、側面センサー制御部は、側面センサーによる手の検出面積や検出位置をもとに、右手と左手を判断するようにしてもよい。また、側面センサーを分割する数量としては、５つ以上としてもよい。
【０１０３】
上記実施形態では、携帯情報表示装置として、スマートフォンを説明したが、電子辞書や、携帯電話や、携帯情報端末（PDA: Personal Digital Assistant）等の携帯情報表示装置であってもよい。
【０１０４】
なお、本発明の拡大表示方法として、上記実施形態で説明した上記携帯情報表示装置の動作と同じであり、位置検出工程（つまり、位置検出手段）と、拡大領域設定工程（つまり、拡大領域設定手段）と、拡大表示工程（つまり、拡大表示手段）を備える。これにより、上記実施形態で説明した上記携帯情報表示装置の効果と同じ効果を奏する。
【符号の説明】
【０１０５】
１  筺体
１ａ  右側面
１ｂ  左側面
２  タッチパネル
３，３Ａ，３Ｂ  右側面センサー
４，４Ａ，４Ｂ  左側面センサー
１１  画面拡大制御部
１２  側面センサー制御部（左右判断手段）
１３  調整部（位置検出手段、拡大領域設定手段、拡大表示手段、拡大解除手段）
１４  タッチパネル制御部
【図１】
2014032511.tif 000003
【図２】
2014032511.tif 000004
【図３】
2014032511.tif 000005
【図４Ａ】
2014032511.tif 000006
【図４Ｂ】
2014032511.tif 000007
【図５Ａ】
2014032511.tif 000008
【図５Ｂ】
2014032511.tif 000009
【図６】
2014032511.tif 000010
【図７Ａ】
2014032511.tif 000011
【図７Ｂ】
2014032511.tif 000012
【図８】
2014032511.tif 000013
【図９Ａ】
2014032511.tif 000014
【図９Ｂ】
2014032511.tif 000015
【図１０Ａ】
2014032511.tif 000016
【図１０Ｂ】
2014032511.tif 000017